(57)【要約】【課題】原稿の画像を乱したりマーキングによる文字認識率の低下を招いたりするのを回避しつつ、ふりがなを自動的に付与し、ふりがな付き原稿を生成する技術を提供する。【解決手段】原稿読取部４で原稿の画像を読み取ると、その読み取った画像を表示部２６に表示する。また、表示部２６にタッチパネル機能を搭載し、前記画像の中で振り仮名を振りたい文字を表示画面上で指定できるようにした。そして、振り仮名を振りたい文字が指先や入力ペンで指定されると、文字認識部３５は、その指定された領域の文字を認識するための文字認識処理を実行し、文字を認識できると、振り仮名導出部３６は、その文字の振り仮名をテーブル記憶部３４から読み出し、画像処理部３７は、該文字に対してその振り仮名を振った全体画像の画像データを生成し、画像形成制御部３８は、その画像データに基づいて用紙に画像を形成する動作を画像形成部１４に実行させるようにした。【選択図】図３
2011113253.tif 000002
【特許請求の範囲】
【請求項１】
原稿の画像を読み取る画像読取部と、
前記画像読取部による読取動作で得られた画像データに基づき、原稿の画像を含む表示画面を表示する表示部と、
前記表示画面に表示された画像の中から振り仮名を振る対象の文字を指定する入力を前記表示画面上で行うための入力操作部と、
文字とその振り仮名との対応関係を予め記憶する記憶部と、
前記入力操作部により前記振り仮名を振る対象として指定された文字を認識する文字認識部と、
前記文字認識部により認識された文字の振り仮名を前記記憶部から読み出し、前記入力操作部により受け付けられた入力により指定された文字に対応する位置に、前記文字認識部により認識された文字の振り仮名の画像を形成する動作をシートに行う画像形成部と
を備える画像処理装置。
【請求項２】
前記シートは用紙であり、
前記画像形成部は、前記記憶部から読み出した文字の振り仮名を前記画像読取部による読取動作で得られた画像データが示す画像に対して付加した画像を用紙に形成する請求項１に記載の画像処理装置。
【請求項３】
前記画像読取部による読取動作で得られた画像データと、前記文字認識部により認識された文字の振り仮名を示すデータと、前記入力操作部により前記振り仮名を振る対象として指定された文字の前記原稿画像中の位置とを用いて、前記文字認識部により認識された文字に振り仮名を振った状態の振り仮名付き画像を示す画像データを生成する画像処理部を備え、
前記表示部は、前記画像処理部により生成された画像データに基づく画像を表示し、
前記表示部による前記画像の表示後に、前記振り仮名付き画像を用紙に形成してもよいか否かの入力を要求する入力要求部を備え、
前記画像形成部は、前記入力要求部により前記振り仮名付き画像を用紙に形成してもよい旨の入力が行われると、該振り仮名付き画像を用紙に形成する請求項２に記載の画像処理装置。
【請求項４】
前記シートは前記原稿であり、
前記原稿を前記画像形成部に給紙する給紙部を更に備え、
前記画像形成部は、前記文字認識部により認識された文字の振り仮名を前記記憶部から読み出し、この読み出した振り仮名を前記文字認識部により認識された文字に振る画像形成動作を前記給紙部により給紙された原稿に対して行うものである請求項１に記載の画像処理装置。
【請求項５】
前記画像読取部による読取動作が行われた原稿を前記給紙部に移すように案内する案内部を更に備える請求項４に記載の画像処理装置。
【請求項６】
前記画像形成部が、前記記憶部から読み出した振り仮名を、前記入力操作部により受け付けられた入力により指定された文字に対応する位置に、前記文字認識部により認識された文字の振り仮名の画像をシートに形成する第１の振り仮名付加モードと、前記画像形成部が、前記記憶部から読み出した振り仮名を前記文字認識部により認識された文字に振る画像形成動作を前記給紙部により給紙された原稿に対して行う第２の振り仮名付加モードとの中から振り仮名付加モードを選択する入力を行うための入力操作部と、
前記入力操作部により選択された振り仮名付加モードで前記画像形成部の画像形成動作を行わせる画像形成制御部と
を更に備える請求項１乃至５の何れか一項に記載の画像処理装置。
【請求項７】
前記入力操作部は、タッチパネルである請求項１乃至６の何れか一項に記載の画像処理装置。
【発明の詳細な説明】
【技術分野】
【０００１】
本発明は、読み取った原稿の画像に含まれる文字に対して自動的にふりがなを付与し、振り仮名を振った原稿や複写物を生成する画像処理装置に関するものである。
【背景技術】
【０００２】
複写機や複合機等の画像処理装置において、読み取った原稿の画像に含まれる漢字に対して自動的にふりがなを付与し、振り仮名を振った原稿や複写物を生成する技術が例えば下記特許文献１に開示されている。
【０００３】
下記特許文献１には、ユーザが原稿の特定の漢字に認識マーク（例えば赤線）を付加した上で該原稿をイメージ画像としてスキャナにより読み取り、その読み取ったイメージ画像から前記認識マークを認識すると、該認識マークが付加された前記特定の漢字にルビを付加する技術が提案されている。
【先行技術文献】
【特許文献】
【０００４】
【特許文献１】特開平９−６２６７０号公報
【発明の概要】
【発明が解決しようとする課題】
【０００５】
しかしながら、前記特許文献１の技術にあっては、原稿のふりがなを付与したい箇所にペンでマーキングするため、原稿の画像を乱すこととなるとともに、そのマーキングによって文字の認識率が低下する可能性があるという問題がある。
【０００６】
本発明は、上述した問題点を解決するためになされたものであり、原稿の画像を乱したりマーキングによる文字認識率の低下を招いたりするのを回避しつつ、自動的にふりがなを付与し、ふりがな付き原稿を生成する画像処理装置を提供することを目的とする。
【課題を解決するための手段】
【０００７】
請求項１に記載の発明は、原稿の画像を読み取る画像読取部と、前記画像読取部による読取動作で得られた画像データに基づき、原稿の画像を含む表示画面を表示する表示部と、前記表示画面に表示された画像の中から振り仮名を振る対象の文字を指定する入力を前記表示画面上で行うための入力操作部と、文字とその振り仮名との対応関係を予め記憶する記憶部と、前記入力操作部により前記振り仮名を振る対象として指定された文字を認識する文字認識部と、前記文字認識部により認識された文字の振り仮名を前記記憶部から読み出し、前記入力操作部により受け付けられた入力により指定された文字に対応する位置に、前記文字認識部により認識された文字の振り仮名の画像を形成する動作をシートに行う画像形成部とを備える画像処理装置である。
【０００８】
この発明によれば、振り仮名を振る対象の文字を指定する入力を、表示部の表示画面上で行えるようにしたので、従来のように、原稿の画像を乱したり、マーキングによる文字認識率の低下を招いたりするのを回避することができる。
【０００９】
請求項２に記載の発明は、請求項１に記載の画像処理装置において、前記シートは用紙であり、前記画像形成部は、前記記憶部から読み出した文字の振り仮名を前記画像読取部による読取動作で得られた画像データが示す画像に対して付加した画像を用紙に形成するものである。
【００１０】
この発明によれば、原稿の画像が複写された複写物であって、その画像に含まれる所望の文字に振り仮名が振られた複写物を生成する画像処理装置を実現することができる。
【００１１】
請求項３に記載の発明は、請求項２に記載の画像処理装置において、前記画像読取部による読取動作で得られた画像データと、前記文字認識部により認識された文字の振り仮名を示すデータと、前記入力操作部により前記振り仮名を振る対象として指定された文字の前記原稿画像中の位置とを用いて、前記文字認識部により認識された文字に振り仮名を振った状態の振り仮名付き画像を示す画像データを生成する画像処理部を備え、前記表示部は、前記画像処理部により生成された画像データに基づく画像を表示し、前記表示部による前記画像の表示後に、前記振り仮名付き画像を用紙に形成してもよいか否かの入力を要求する入力要求部を備え、前記画像形成部は、前記入力要求部により前記振り仮名付き画像を用紙に形成してもよい旨の入力が行われると、該振り仮名付き画像を用紙に形成するものである。
【００１２】
この発明によれば、前記振り仮名付き画像を用紙に画像形成する前の段階で、ユーザは、前記振り仮名付き画像を確認することができるため、失敗作の発生の低減を図ることができる。
【００１３】
請求項４に記載の発明は、請求項１に記載の画像処理装置において、前記シートは前記原稿であり、前記原稿を前記画像形成部に給紙する給紙部を更に備え、前記画像形成部は、前記文字認識部により認識された文字の振り仮名を前記記憶部から読み出し、この読み出した振り仮名を前記文字認識部により認識された文字に振る画像形成動作を前記給紙部により給紙された原稿に対して行うものである。
【００１４】
この発明によれば、原稿に形成された画像に含まれる所望の文字に振り仮名を振る画像形成動作を原稿に対して行う画像処理装置を実現することができる。
【００１５】
請求項５に記載の発明は、請求項４に記載の画像処理装置において、前記画像読取部による読取動作が行われた原稿を前記給紙部に移すように案内する案内部を更に備えるものである。
【００１６】
この発明によれば、前記画像読取部による読取動作が行われた原稿を前記給紙部に移すように案内する案内部を備えたので、ユーザは、原稿に振り仮名を振る画像形成動作を画像処理装置に行わせるのに必要な作業を知ることができる。
【００１７】
請求項６に記載の発明は、請求項１乃至５の何れか一項に記載の画像処理装置において、前記画像形成部が、前記記憶部から読み出した振り仮名を、前記入力操作部により受け付けられた入力により指定された文字に対応する位置に、前記文字認識部により認識された文字の振り仮名の画像をシートに形成する第１の振り仮名付加モードと、前記画像形成部が、前記記憶部から読み出した振り仮名を前記文字認識部により認識された文字に振る画像形成動作を前記給紙部により給紙された原稿に対して行う第２の振り仮名付加モードとの中から振り仮名付加モードを選択する入力を行うための入力操作部と、前記入力操作部により選択された振り仮名付加モードで前記画像形成部の画像形成動作を行わせる画像形成制御部とを更に備えるものである。
【００１８】
この発明によれば、原稿に形成された画像に含まれる所望の文字に振り仮名を振る画像形成動作を原稿に対して行ったり、原稿の画像が複写された複写物であってその画像に含まれる所望の文字に振り仮名が振られた複写物を生成したりすることができる。また、原稿の画像に含まれる所望の文字に振り仮名を振るか、原稿の画像が複写された複写物であってその画像に含まれる文字に振り仮名が振られた複写物を生成するかをユーザが選択することができる。
【００１９】
請求項１乃至６の何れか一項に記載の画像処理装置における前記入力操作部としては、請求項７に記載の発明のように例えばタッチパネルが採用可能である。
【発明の効果】
【００２０】
本発明によれば、原稿の画像を乱したりマーキングによる文字認識率の低下を招いたりするのを回避しつつ、自動的にふりがなを付与し、ふりがな付き原稿を出力する画像処理装置を実現することができる。
【図面の簡単な説明】
【００２１】
【図１】本発明に係る画像処理装置の一実施形態である複写機の内部構成を示す側面図である。
【図２】複写機の電気的な構成を示すブロック図である。
【図３】制御部の各部による処理を示すフローチャートである。
【図４】原稿読取部で原稿の画像を読み取ったときに表示部に表示される表示画面の一例を示す図である。
【図５】図４に示す画面において振り仮名を振る旨の指示が入力された場合に表示部に表示される原稿の画像の拡大画像を示す図である。
【図６】振り仮名を振る対象の文字が指定されると形成される振り仮名付き画像を示す図である。
【図７】変形形態（１）における制御部の各部による処理を示すフローチャートである。
【図８】手差しトレイに原稿を載置するように指示する指示画面を示す図である。
【図９】変形形態（２）における制御部の各部による処理を示すフローチャートである。
【図１０】変形形態（２）における制御部の各部による処理を示すフローチャートである。
【図１１】モード選択画面の一例を示す図である。
【発明を実施するための形態】
【００２２】
以下、本発明に係る画像処理装置の実施形態について図面を参照しながら説明する。図１は、本発明に係る画像処理装置の一実施形態である複写機の内部構成を示す側面図である。
【００２３】
図１に示すように、複写機１は、本体部２と、本体部２の左方に配設されたスタックトレイ３と、本体部２の上部に配設された原稿読取部４と、原稿読取部４の上方に配設された原稿給送部５とを有している。
【００２４】
原稿読取部４は、ＣＣＤ(Charge Coupled Device)センサと露光ランプ等の照明部とを備えるスキャナ部６と、ガラス等の透明部材により構成された原稿台７と、原稿読取スリット８とを備える。スキャナ部６の前記照明部は、図略の駆動部によって移動可能に構成され、原稿台７に載置された原稿を読み取るときは、原稿台７に対向する位置で原稿面に沿って移動され、原稿画像を走査しつつ取得した画像データを後述する制御部３０へ出力する。また、原稿給送部５により給送された原稿を読み取るときは、原稿読取スリット８と対向する位置に移動され、原稿読取スリット８を介して原稿給送部５による原稿の搬送動作と同期して原稿の画像を取得し、その画像データを上記制御部３０へ出力する。
【００２５】
原稿給送部５は、原稿を載置するための原稿載置部９と、画像読み取り済みの原稿を排出するための原稿排出部１０と、原稿載置部９に載置された原稿を１枚ずつ繰り出して原稿読取スリット８に対向する位置へ搬送し、原稿排出部１０へ排出するための給紙ローラ（図略）、搬送ローラ（図略）等からなる原稿搬送機構１１を備える。原稿搬送機構１１は、さらに原稿を表裏反転させて原稿読取スリット８と対向する位置へ再搬送する用紙反転機構（図略）を備え、原稿の両面の画像を、原稿読取スリット８を介してスキャナ部６から読取可能にしている。
【００２６】
原稿給送部５は、その前面側が上方に移動可能となるように原稿読取部４に対して回動自在に設けられている。原稿給送部５の前面側を上方に移動させて原稿台７の上面を開放することにより、該原稿台７の上面に読み取り原稿、例えば見開き状態にされた書籍等を操作者が載置できるようになっている。
【００２７】
本体部２は、複数の給紙カセット１２と、給紙カセット１２から記録紙を１枚ずつ繰り出して後述の画像形成部１４へ搬送する給紙ローラ１３と、給紙カセット１２から搬送されてきた記録紙に画像を形成する画像形成部１４とを備える。
【００２８】
画像形成部１４は、スキャナ部６等で取得された画像データに基づきレーザ等を出力して感光体ドラム１５を露光する光走査装置１６と、感光体ドラム１５の表面に形成された静電潜像を顕像化して画像を形成する現像部１７と、感光体ドラム１５上に形成された画像を記録紙に転写する転写部１８と、画像が転写された記録紙を加熱して該画像を記録紙に定着させる定着部１９と、画像形成部１４内の用紙搬送路中に設けられ、記録紙をスタックトレイ３又は排出トレイ２２まで搬送する搬送ローラ２０等とを備える。
【００２９】
記録紙の両面に画像を形成する場合は、画像形成部１４で記録紙の一方の面に画像を形成した後、この記録紙を排出トレイ２２側の搬送ローラ２０にニップされた状態とする。この状態で搬送ローラ２０を反転させて記録紙をスイッチバックさせ、記録紙を用紙搬送路Ｌに送って画像形成部１４の上流域に再度搬送し、画像形成部１４により他方の面に画像を形成した後、記録紙をスタックトレイ３又は排出トレイ２２に排出する。
【００３０】
手差しトレイ２１は、その一端部が支軸２１ａを中心として回動可能に軸支され、手差しの給紙口を閉止するべく起立した閉止姿勢と、右方へ向かって突出した開放姿勢との間で姿勢変更可能とされている。かかる手差しトレイ２１は、開放姿勢に設定された状態で、用紙Ｐの手差しに供される。手差しトレイ２１から給紙された用紙Ｐは、用紙縦搬送路を介して感光体ドラム１５と転写部１８との間に向けて送られる。
【００３１】
複写機１のフロント部には、操作部２３が設けられている。操作部２３には、ユーザが印刷実行指示を入力するためのスタートキー２４と、印刷部数等を入力するためのテンキー２５と、各種複写動作の操作ガイド情報等を表示し、これら各種設定入力用にタッチパネルを有する液晶ディスプレイ等からなる表示部２６と、表示部２６で設定された設定内容等をリセットするリセットキー２７と、実行中の印刷（画像形成）動作を停止させるためのストップキー２８と、コピー機能、プリンタ機能、スキャナ機能及びファクシミリ機能を切り換えるための機能切換キー２９とが備えられている。
【００３２】
表示部２６のタッチパネルは、長方形状をした薄層体で、例えば縦横にそれぞれ所定ピッチで線状の透明材からなる感圧部材を配列したものを透明カバーで被覆する等により構成されたもので、表示部２６の画面上に貼付されている。前記各感圧部材は、押圧されると感圧信号を制御部３０に出力する。制御部３０（操作位置検出部３３）は、前記感圧信号を出力してきた感圧部材を識別することにより押圧位置を判別する。また、制御部３０は、表示部２６の画面に画像やボタンを表示した場合、そのボタンを構成する画像データのＲＡＭ上の格納アドレスと前記押圧位置とから、どの部分の画像が指定されたかとかいずれのボタンが指定されたなどを判定し得るようになっている。
【００３３】
図２は、複写機１の電気的な構成を示すブロック図である。なお、図１に示す構成と同一の構成については同一の番号を付してその説明を省略する。
【００３４】
図２に示すように、複写機１は、前述した原稿読取部４、原稿給送部５、原稿搬送機構１１、画像形成部１４及び操作部２３に加えて、前記原稿読取部４、原稿給送部５、原稿搬送機構１１、画像形成部１４及び操作部２３の動作を関連付けて制御する制御部３０を備える。
【００３５】
制御部３０は、データを一時的に保管する機能や作業領域としての機能を有するＲＡＭ（Random Access Memory）、プログラムを予め記憶するＲＯＭ（Read Only Memory）、及び、前記プログラム等をＲＯＭから読み出して実行するＣＰＵを備えて構成されており、ＣＰＵとＲＡＭやＲＯＭとはデータバスを介してデータの授受を行うように構成されている。
【００３６】
制御部３０は、ＣＰＵがＲＯＭ又はＲＡＭに記憶されている本実施形態特有の処理プログラムを実行することで、読取制御部３１と、表示制御部３２と、操作位置検出部３３と、テーブル記憶部３４と、文字認識部３５と、振り仮名導出部３６と、画像処理部３７と、画像形成制御部３８としての機能を有しており、前記各部は、次のような処理を実施する。図３は、制御部３０の各部による処理を示すフローチャートである。
【００３７】
図３に示すように、原稿台７又は原稿給送部５の原稿載置部９に原稿が載置された状態でスタートキー２４が操作されると（ステップ♯１でＹＥＳ）、読取制御部３１は、該原稿に対する読取動作を原稿読取部４に実施させる（ステップ♯２）。そして、制御部３０は、前記読取動作で得られた画像データをＲＡＭに一時的に格納し、表示制御部３２は、図４に示すように、ＲＡＭに格納された画像データに基づき前記表示部２６に全体画像を表示させるとともに、原稿の画像を複写するに際して振り仮名を振るか否かをユーザに尋ねるメッセージＭ１と、振り仮名を振る旨の指示を入力するための「ＹＥＳ」ボタンＢ１と、振り仮名を振らない旨の指示を入力するための「ＮＯ」ボタンＢ２とを表示させる（ステップ♯３）。
【００３８】
画像形成制御部３８は、図４に示す画面において、「ＹＥＳ」ボタンＢ１に対して押圧操作が行われたか（振り仮名を振る旨の指示が入力されたか）否かを判断し（ステップ♯４）、「ＮＯ」ボタンＢ２に対して押圧操作が行われた（振り仮名を振らない旨の指示が入力された）場合には（ステップ♯４でＮＯ）、画像形成制御部３８は、ＲＡＭに格納された画像データに基づく画像形成動作を画像形成部１４に実施させる（ステップ♯５）。
【００３９】
一方、画像形成制御部３８は、図４に示す画面において、「ＹＥＳ」ボタンＢ１に対して押圧操作が行われた（振り仮名を振る旨の指示が入力された）場合には（ステップ♯４でＹＥＳ）、ＲＡＭに格納された画像データで構成される画像を所定の倍率で拡大した画像の画像データを、ＲＡＭに格納された画像データから生成し、図５に示すように、その生成した画像データに基づいて表示部２６に画像を表示させる（ステップ♯６）。
【００４０】
なお、ここでは、表示部２６の表示領域が原稿の大きさに比して小さいために、原稿の全体画像を表示部２６に表示するようにすると、表示部２６に表示される原稿の文字が小さくなり、該文字の視認が容易でないことを考慮して、原稿の画像を拡大表示するようにしているが、表示部２６の表示領域が充分に大きい場合には、ＲＡＭに格納された画像データで構成される画像を所定の倍率で拡大する処理を行わず、読み取った画像の倍率のままで画像を表示するようにしてもよい。また、原稿の画像をステップ♯３で表示した画像よりも拡大して表示するため、このときの表示部２６による表示形態は、原稿の全体画像のうちの一部分を表示する表示形態となる。そのため、複写機１には、図略のスクロールキーや矢印キーによって表示対象の画像の位置を変更する機能を有している。
【００４１】
操作位置検出部３３は、原稿の画像を拡大した表示画面において、或る表示領域に対して押圧操作が行われると（ステップ♯７でＹＥＳ）、その押圧操作が行われた位置を検出する（ステップ♯８）。そして、操作位置検出部３３は、その押圧位置が、振り仮名の付与をキャンセルするキャンセルボタンＢ３（図５参照）の表示位置であるか否かを判断し（ステップ♯９）、そうである場合には（ステップ♯９でＹＥＳ）、ステップ♯３の処理に戻る。
【００４２】
一方、操作位置検出部３３は、ステップ♯７で行われたと判断した押圧操作の押圧位置が、前記キャンセルボタンＢ３の表示位置ではないと判断すると（ステップ♯９でＮＯ）、文字認識部３５は、前記押圧位置及びその周辺領域に対応するＲＡＭのアドレスに格納された画像データに基づき、文字認識技術である例えば周知のＯＣＲ（Optical Character Recognition）技術を用いて文字を認識するための文字認識処理を行う（ステップ♯１０）。このとき、操作位置検出部３３は、指定された文字の原稿画像中の位置を示す文字位置情報をＲＡＭに記憶させる。
【００４３】
なお、指先で押圧することにより、振り仮名を振る対象の文字を指定する操作を行った場合に、その押圧位置（指定位置）が文字の表示位置とずれていたり、文字の表示領域が指先の接触領域からはみ出していたりする場合が生じ得ることを想定して、文字認識部３５は、前記押圧位置だけでなくその周辺の所定領域も含めた領域に対応する画像データに基づいて前記文字認識処理を行うようにしている。
【００４４】
文字認識部３５は、振り仮名を振る対象として選択され得る文字ごとに、予め定められたフォントの当該文字を構成する各画素の２値データを基準文字データとして予め記憶しており、タッチパネルが押圧されると、その押圧位置を含む一定領域に属する各画素の２値データの配列状態と一致又は近似する基準文字データが存在するか否かを検出し、一致又は近似する基準文字データが存在するとき、指定された文字は、その基準文字データに対応する文字であると認識する。
【００４５】
このような文字認識処理の結果、文字認識部３５により文字の認識ができなかった場合には（ステップ♯１１でＮＯ）、制御部３０は、その旨をユーザに報知してステップ♯３の処理に戻る一方（ステップ♯１２）、文字認識部３５により文字の認識ができた場合には（ステップ♯１１でＹＥＳ）、振り仮名導出部３６は、振り仮名を振る対象として指定され得る漢字とその読み方（振り仮名）との対応関係がテーブル形式で予め格納されているテーブル記憶部３４から、前記文字認識部３５により認識された文字に対応付けられている読み方（振り仮名）を読み出す（ステップ♯１４）。
【００４６】
そして、画像処理部３７は、前記原稿読取部４の読取動作で得られた画像データと、前記振り仮名導出部３６により導出された振り仮名の画像データと、前記ＲＡＭに記憶されている文字位置情報とを用いて、例えば文字位置情報で示される文字に隣接する空白位置に、前記文字認識部３５により認識された文字に振り仮名Ｓ（図６参照）を振った状態の振り仮名付き画像の画像データを振り仮名付き画像データとして生成し、表示制御部３２は、図６に示すように、その生成した振り仮名付き画像データに基づき、前記振り仮名付き画像を前記表示部２６に表示させる（ステップ♯１４）。
【００４７】
図６に示す表示画面Ｇ３には、前記振り仮名付き画像の他、振り仮名付き画像を用紙に印刷してもよいか否かの旨の入力を行うための「ＯＫ」ボタンＢ４と「ＮＯ」ボタンＢ５とが設けられており、ステップ♯１４の処理後、画像形成制御部３８は、「ＯＫ」ボタンＢ４及び「ＮＯ」ボタンＢ５のうち何れかのボタンが操作されたか否かを判断する（ステップ♯１５）。
【００４８】
画像形成制御部３８は、「ＯＫ」ボタンＢ４及び「ＮＯ」ボタンＢ５のうち何れかのボタンが操作されていないと判断した場合には（ステップ♯１５でＮＯ）、いずれかのボタンが操作されるまで待機し、何れかのボタンが操作されたと判断すると（ステップ♯１５でＹＥＳ）、その操作対象は「ＯＫ」ボタンＢ４であるか否かを判断する（ステップ♯１６）。
【００４９】
画像形成制御部３８は、前記操作対象が「ＯＫ」ボタンＢ４であると判断した場合には（ステップ♯１６でＹＥＳ）、前記画像処理部３７により生成された振り仮名付き画像データに基づき、用紙に画像を形成する画像形成動作を画像形成部１４に実施させる（ステップ♯１７）。なお、画像形成制御部３８は、前記操作対象が「ＮＯ」ボタンＢ５であると判断した場合には（ステップ♯１６でＮＯ）、一連の処理を終了する。
【００５０】
以上のように、本実施形態では、原稿読取部４で原稿の画像を読み取ると、その読み取った画像を表示部２６に表示して、その画像の中で振り仮名を振りたい文字を表示画面上で指定できるようにし、振り仮名を振りたい文字が指定されると、その文字に対して振り仮名を振った全体画像を用紙に形成するようにしたので、原稿の画像が複写され且つその画像に含まれる所望の文字に振り仮名が振られた複写物を生成することができる。
【００５１】
また、特に本実施形態においては、振り仮名を振る対象の文字の指定を、表示部２６の表示画面上で入力できるようにしたので、従来のように、原稿の画像を乱したり、マーキングによる文字認識率の低下を招いたりするのを回避することができる。
【００５２】
なお、本件は、前記実施形態に代えて、又は前記実施形態に加えて次のような変形形態も採用可能である。
【００５３】
（１）前記第１の実施形態では、原稿の画像の複写物を作成する場合に、その画像に含まれている文字のうち所望の文字に振り仮名を付加した全体画像を有する複写物を生成する画像処理装置を説明したが、この形態に限らず、例えば、前記原稿読取部４で画像を読み取った原稿自体に所望の文字の振り仮名を付加するようにしてもよい。図７は、本実施形態における制御部３０の各部による処理を示すフローチャートである。なお、本実施形態におけるステップ♯２１〜♯３３までの処理は、図３に示すフローチャートのステップ♯１〜♯１３と同様であるので、その説明を省略する。
【００５４】
図７に示すように、文字認識部３５により文字の認識ができた場合には（ステップ♯３１でＹＥＳ）、振り仮名導出部３６は、その文字の振り仮名をテーブル記憶部３４から読み出し（ステップ♯３３）、図８に示すように、表示制御部３２は、手差しトレイ２１に原稿を載置するように指示する指示画面Ｇ３を表示部２６に表示させる（ステップ♯３４）。なお、振り仮名を振る位置が原稿上で適切な位置となるように、図８に示すように、手差しトレイ２１上に原稿を載置する際の原稿の向き等も前記指定画面Ｇ３にて指示する。これにより、ユーザは、原稿に振り仮名を振る画像形成動作を複写機１に行わせるのに必要な作業を知ることができる。表示制御部３２は、案内部としての機能を有する。
【００５５】
画像形成制御部３８は、手差しトレイ２１に原稿が載置されるまで待機し（ステップ♯３５でＮＯ）、手差しトレイ２１に原稿が載置されると（ステップ♯３５でＹＥＳ）、手差しトレイ２１から原稿を装置内部に取り込んで、該原稿に対し、前記ＲＡＭに格納されている文字位置情報で示された文字に隣接する空白位置に、指定された文字の振り仮名を振る画像形成動作を画像形成部１４に実施させる（ステップ♯３６）。
【００５６】
これにより、原稿自体に所望の文字の振り仮名を振ることができるため、前記第１の実施形態のように、振り仮名を振った原稿の画像を得る場合に比して、用紙を節約することができるとともに、原稿の画像を形成しない分、現像剤を節約することができる。
【００５７】
また、複写機１がモノクロ複写機である場合において、原稿がカラー原稿であるとき、新たな用紙に振り仮名付き画像を形成する前記第１の実施形態では、原稿に形成されているカラーの画像が、複写物ではモノクロの画像となり、カラーの画像に振り仮名を振った画像を得ることはできないが、本実施形態のように、原稿自体に振り仮名部分のみ印字する機能を備えることで、カラーの画像に振り仮名が振られた画像を有する原稿を得ることができる。
【００５８】
（２）前記第１の実施形態のように、振り仮名を振った複写物を生成するモード（以下、複写物振り仮名付加モードという）と、前記変形形態（１）のように、原稿自体に振り仮名を振るモード（以下、原稿振り仮名付加モードという）とを、ユーザが選択できるようにしてもよい。
【００５９】
図９，図１０は、本実施形態における制御部３０の各部による処理を示すフローチャートである。なお、本実施形態におけるステップ♯４１〜♯５３までの処理は、図９に示すフローチャートのステップ♯１〜♯１３と同様であるので、その説明を省略する。
【００６０】
図９，図１０に示すように、文字認識部３５により文字の認識ができた場合には（ステップ♯５１でＹＥＳ）、振り仮名導出部３６は、その文字の振り仮名をテーブル記憶部３４から読み出し（ステップ♯５３）、図１１に示すように、表示制御部３２は、前記モードを選択するモード選択画面Ｇ４を表示部２６に表示させる（ステップ♯５４）。
【００６１】
図１１に示すモード選択画面Ｇ４には、原稿自体に振り仮名を振る原稿振り仮名付加モードと、振り仮名を振った複写物を生成する複写物振り仮名付加モードとのうちどちらのモードを選択するかを尋ねるメッセージＭ２と、前記原稿振り仮名付加モードを選択する入力を行うための「原稿」ボタンＢ６と、前記複写物振り仮名付加モードを選択する入力を行うための「用紙」ボタンＢ７とを有する。
【００６２】
該選択画面Ｇ４において、「原稿」ボタンＢ６が操作された場合（原稿振り仮名付加モードが選択された場合）には（ステップ♯５５でＹＥＳ）、制御部３０は、図７に示すフローチャートのステップ♯３４〜♯３６と同様の処理を行う（ステップ♯５６〜♯５８）。
【００６３】
一方、前記選択画面Ｇ４において、「用紙」ボタンＢ７が操作された場合（複写物振り仮名付加モードが選択された場合）には（ステップ♯５５でＮＯ）、制御部３０は、図３に示すフローチャートのステップ♯１４〜♯１７と同様の処理を行う（ステップ♯５９〜♯６２）。
【００６４】
この実施形態によれば、当該複写機１において、原稿に形成された画像に含まれる所望の文字に振り仮名を振る画像形成動作を原稿に対して行ったり、原稿の画像が複写され且つその画像に含まれる所望の文字に振り仮名が振られた複写物を生成したりすることができる。また、原稿の画像に含まれる所望の文字に振り仮名を振るか、原稿の画像が複写された複写物であってその画像に含まれる文字に振り仮名が振られた複写物を生成するかをユーザが選択することができる。
【００６５】
（３）前記各実施形態では、振り仮名を付加する対象の文字をユーザによる指先のタッチ（接触）で入力するようにしたが、この形態に限定されず、前記操作部２３に例えば次のような入力ペンを設け、該入力ペンにより入力可能に構成してもよい。すなわち、前記入力ペンは、その先端が表示部２６の表示面に接触したときに、その接触点を中心とする所定範囲において静電的な変化や磁気的な変化を発生させるものである。そして、表示部２６の表示面の下方には図略のセンサが設置されており、該センサからの検出信号に基づいて、制御部３０が、静電的な変化や磁気的な変化が発生した位置を検出する。
【００６６】
なお、入力ペンを用いて振り仮名を振る文字を指定するための入力態様として、振り仮名を振る文字に下線を引いたり、該文字を丸印で囲んだりする態様が考えられる。
【符号の説明】
【００６７】
１    複写機
４    原稿読取部
２１  手差しトレイ
２３  操作部
２６  表示部
３０  制御部
３１  読取制御部
３２  表示制御部
３３  操作位置検出部
３４  テーブル記憶部
３５  文字認識部
３６  振り仮名導出部
３７  画像処理部
３８  画像形成制御部
【図１】
2011113253.tif 000003
【図２】
2011113253.tif 000004
【図３】
2011113253.tif 000005
【図４】
2011113253.tif 000006
【図５】
2011113253.tif 000007
【図６】
2011113253.tif 000008
【図７】
2011113253.tif 000009
【図８】
2011113253.tif 000010
【図９】
2011113253.tif 000011
【図１０】
2011113253.tif 000012
【図１１】
2011113253.tif 000013